(57)【特許請求の範囲】
【請求項１】
券類を供給する第１の供給手段と、
上記第１の供給手段にて供給された券類の良否を検査する検査手段と、
上記検査手段にて検査不可能と判断された券類を排除券として処理する排除券処理手段と、を有し、
上記排除券処理手段は、
排除券を供給する第２の供給手段と、
上記第２の供給手段にて供給された排除券が正規の券類であるか否かを判定する判定手段と、
上記判定手段にて正規の券類であることが判定された排除券を裁断する裁断手段と、
上記裁断手段にて裁断された排除券の裁断枚数を表示する表示手段と、を備え、
上記表示手段は、上記第２の供給手段にて上記判定手段へ供給される排除券の種類毎にその裁断枚数を表示する複数の表示部を有していることを特徴とする券類処理装置。
【請求項２】
券類を供給する第１の供給手段と、
上記第１の供給手段にて供給された券類の良否を検査する検査手段と、
上記検査手段にて検査可能と判断され且つ再使用可能と判断された券類を適合券として処理し、再使用不可能と判断された券類を非適合券として処理する非排除券処理手段と、
上記検査手段にて検査不可能と判断された券類を排除券として処理する排除券処理手段と、を有し、
上記排除券処理手段は、
複数枚の排除券を集積する集積部と、上記集積部に集積された排除券を１枚づつ取出す取出部と、を有する第２の供給手段と、
上記取出部にて取出された排除券が正規の券類であるか否かを判定する判定手段と、
上記判定手段にて正規の券類であることが判定された排除券を再使用不可能なサイズに裁断する裁断手段と、
上記裁断手段にて裁断される排除券の裁断枚数を計数する計数手段と、
上記計数手段にて計数された排除券の裁断枚数を表示する表示手段と、を備え、
上記表示手段は、上記第２の供給手段にて上記判定手段へ供給される排除券の種類毎にその裁断枚数を表示する複数の表示部を有していることを特徴とする券類処理装置。
【請求項３】
券類を供給する第１の供給手段と、
上記第１の供給手段にて供給された券類の良否を検査する検査手段と、
上記検査手段にて検査可能と判断され且つ再使用可能と判断された券類を適合券として処理し、再使用不可能と判断された券類を非適合券として処理する非排除券処理手段と、
上記検査手段にて検査不可能と判断された券類を排除券として処理する排除券処理手段と、を有し、
上記排除券処理手段は、
複数枚の排除券を集積する集積部と、上記集積部に集積された排除券を１枚づつ取出す取出部と、を有する第２の供給手段と、
上記取出部にて取出された排除券が正規の券類であるか否かを判定する判定手段と、
上記判定手段にて正規の券類であることが判定された排除券を再使用不可能なサイズに裁断する裁断手段と、
上記裁断手段にて裁断される排除券の裁断枚数を計数する計数手段と、
上記計数手段にて計数された排除券の裁断枚数を記憶する記憶手段と、
上記計数手段にて計数された排除券の裁断枚数を表示する表示手段と、
上記記憶手段および表示手段を独立して駆動するための電源手段と、を備え、
上記表示手段は、上記第２の供給手段にて上記判定手段へ供給される排除券の種類毎にその裁断枚数を表示する複数の表示部と、停電時に上記電源手段から上記記憶手段および表示手段に給電し排除券の裁断枚数を表示させる表示要求スイッチと、を有していることを特徴とする券類処理装置。
【請求項４】
券類を供給する供給手段と、
上記供給手段にて供給された券類が正規の券類であるか否かを判定する判定手段と、
上記判定手段にて正規の券類であることが判定された券類を裁断する裁断手段と、
上記裁断手段にて裁断された券類の裁断枚数を表示する表示手段と、を備え、
上記表示手段は、上記供給手段にて上記判定手段へ供給される券類の種類毎にその裁断枚数を表示する複数の表示部を有していることを特徴とする券類処理装置。
【請求項５】
複数枚の券類を集積する集積部と、上記集積部に集積された券類を１枚づつ取出す取出部と、を有する供給手段と、
上記取出部にて取出された券類が正規の券類であるか否かを判定する判定手段と、
上記判定手段にて正規の券類であることが判定された券類を再使用不可能なサイズに裁断する裁断手段と、
上記裁断手段にて裁断される券類の裁断枚数を計数する計数手段と、
上記計数手段にて計数された券類の裁断枚数を表示する表示手段と、を備え、
上記表示手段は、上記供給手段にて上記判定手段へ供給される券類の種類毎にその裁断枚数を表示する複数の表示部を有していることを特徴とする券類処理装置。
【請求項６】
複数枚の券類を集積する集積部と、上記集積部に集積された券類を１枚づつ取出す取出部と、を有する供給手段と、
上記取出部にて取出された券類が正規の券類であるか否かを判定する判定手段と、
上記判定手段にて正規の券類であることが判定された券類を再使用不可能なサイズに裁断する裁断手段と、
上記裁断手段にて裁断される券類の裁断枚数を計数する計数手段と、
上記計数手段にて計数された券類の裁断枚数を記憶する記憶手段と、
上記計数手段にて計数された券類の裁断枚数を表示する表示手段と、
上記記憶手段および表示手段を独立して駆動するための電源手段と、を備え、
上記表示手段は、上記供給手段にて上記判定手段へ供給される券類の種類毎にその裁断枚数を表示する複数の表示部と、停電時に上記電源手段から上記記憶手段および表示手段に給電し券類の裁断枚数を表示させる表示要求スイッチと、を有していることを特徴とする券類処理装置。
【請求項７】
券類を供給する供給手段と、
上記供給手段にて供給された券類が正規の券類であるか否かを判定する判定手段と、
上記判定手段にて正規の券類であることが判定された券類を裁断する裁断手段と、
上記裁断手段にて裁断された券類の裁断枚数を表示する表示手段と、を備え、
上記表示手段は、上記裁断手段にて裁断中の券類の今回裁断枚数を表示する単一の第１表示部と、上記供給手段にて上記判定手段へ供給される券類の種類毎にその裁断累計枚数を表示する複数の第２表示部と、上記第２表示部に対応して複数設けられ、上記第１表示部で表示中の今回裁断枚数を累計する第２表示部を知らせるべく点灯される点灯部と、を有していることを特徴とする券類処理装置。
【請求項８】
複数枚の券類を集積する集積部と、上記集積部に集積された券類を１枚づつ取出す取出部と、を有する供給手段と、
上記取出部にて取出された券類が正規の券類であるか否かを判定する判定手段と、
上記判定手段にて正規の券類であることが判定された券類を再使用不可能なサイズに裁断する裁断手段と、
上記裁断手段にて裁断される券類の裁断枚数を計数する計数手段と、
上記計数手段にて計数された券類の裁断枚数を表示する表示手段と、を備え、
上記表示手段は、上記裁断手段にて裁断中の券類の今回裁断枚数を表示する単一の第１表示部と、上記供給手段にて上記判定手段へ供給される券類の種類毎にその裁断累計枚数を表示する複数の第２表示部と、上記第２表示部に対応して複数設けられ、上記第１表示部で表示中の今回裁断枚数を累計する第２表示部を知らせるべく点灯される点灯部と、を有していることを特徴とする券類処理装置。
【請求項９】
複数枚の券類を集積する集積部と、上記集積部に集積された券類を１枚づつ取出す取出部と、を有する供給手段と、
上記取出部にて取出された券類が正規の券類であるか否かを判定する判定手段と、
上記判定手段にて正規の券類であることが判定された券類を再使用不可能なサイズに裁断する裁断手段と、
上記裁断手段にて裁断される券類の裁断枚数を計数する計数手段と、
上記計数手段にて計数された券類の裁断枚数を記憶する記憶手段と、
上記計数手段にて計数された券類の裁断枚数を表示する表示手段と、
上記記憶手段および表示手段を独立して駆動するための電源手段と、を備え、
上記表示手段は、上記裁断手段にて裁断中の券類の今回裁断枚数を表示する単一の第１表示部と、上記供給手段にて上記判定手段へ供給される券類の種類毎にその裁断累計枚数を表示する複数の第２表示部と、上記第２表示部に対応して複数設けられ、上記第１表示部で表示中の今回裁断枚数を累計する第２表示部を知らせるべく点灯される点灯部と、停電時に上記電源手段から上記記憶手段および表示手段に給電し券類の裁断枚数を表示させる表示要求スイッチと、を有していることを特徴とする券類処理装置。
【請求項１０】
券類を供給する第１の供給手段と、上記第１の供給手段にて供給された券類の良否を検査する検査手段と、上記検査手段にて検査不可能と判断された券類を排除券として収容する収容部と、を有する少なくとも１つの検査装置と、
上記検査装置の収容部に収容された排除券を供給する第２の供給手段と、上記第２の供給手段にて供給された排除券が正規の券類であるか否かを判定する判定手段と、上記判定手段にて正規の券類であることが判定された排除券を裁断する裁断手段と、上記裁断手段にて裁断された排除券の裁断枚数を上記第２の供給手段にて供給された排除券の種類毎に表示する複数の表示部を有する表示手段と、を有する複数の排除券処理装置と、を有し、
上記少なくとも１つの検査装置にて排出された排除券を上記複数の排除券処理装置にて処理することにより稼働率を向上することを特徴とする券類処理システム。
【発明の詳細な説明】
【０００１】
【発明の属する技術分野】
この発明は、券類の良否を検査し、この検査結果に従って券類を処理する券類処理装置および券類処理システムに関する。
【０００２】
【従来の技術】
この種の券類処理装置は、券類を投入する投入部、投入された券類を搬送する搬送部、および搬送された券類を検査する検査部を有する検査装置と、検査部にて正しく検査できずに排除された排除券を処理する排除券処理装置と、を有している。
【０００３】
検査部は、検査の結果、再使用不可能と判断された非適合券を裁断する裁断部と、再使用可能と判断された適合券を所定枚数毎に集積、施封する集積、施封機構と、裁断部および集積、施封機構へそれぞれ送られる券類の枚数を計数するカウンタと、正しく検査できなかった排除券を集積するリジェクトカセットと、を有している。また、排除券処理装置は、排除券の処理枚数を計数するカウンタを有している。
【０００４】
このように構成された券類処理装置にて券類を処理する場合、投入部に投入された券類は搬送部にて搬送されて検査部へ順次送られる。そして、この検査部にて券類が検査可能であるか、否かが判断され、この判断結果に基づいて、まず、検査可能な非排除券と検査不可能な排除券とに区分される。さらに、検査部にて非排除券が再使用可能な適合券と再使用不可能な非適合券とに区分される。
【０００５】
再使用可能な適合券は集積、施封機構に送られて計数されるとともに所定枚数毎に集積、施封され投入部を介して搬出され、再使用不可能な非適合券は計数されるとともに裁断部にて裁断される。また、検査部にて検査できずに排除された排除券はリジェクトカセットに一旦収容され、排除券処理装置へ一括して送られて計数されるとともに処理される。
【０００６】
従って、投入部を介して投入された券類は、適合券、非適合券、または排除券に区分されるとともに区分された券類がそれぞれ計数される。そして、各券の処理枚数の合計が投入枚数と照合され、投入枚数と処理枚数との一致が確認されて券類の処理が終了される。
【０００７】
また、上述したような従来の券類処理装置にて複数種類の券類を処理する場合には、券種毎に処理がなされている。つまり、一種類の券類を券類処理装置に投入して処理し、一種類の券類全ての処理が終了した後、処理枚数と投入枚数とが照合され、これらが一致したことを確認した後、他の種類の券類を券類処理装置に投入し、同様に処理する。
【０００８】
【発明が解決しようとする課題】
しかしながら、従来の券類処理装置においては、１業務内で１券種の処理のみが許されており、一種類の券類を処理する毎に処理枚数と投入枚数とを照合して枚数の一致を確認し、同一券種の全ての券類の処理が終了しないと次の券類の処理を開始できない。このため、１業務内で検査装置にて排出される排除券が多くなるような場合には、排除券処理装置の処理能力が追い付かず、券類処理装置をやむなく一旦停止しなければならなず、これにより、装置の稼働率が低下する問題がある。
【０００９】
この発明は、以上の点に鑑みなされたもので、その目的は、複数種類の券類を同時進行的に処理でき、装置の稼働率を向上できる券類処理装置および券類処理システムを提供することにある。
【００１０】
【課題を解決するための手段】
上記目的を達成するため、この発明に係る券類処理装置は、券類を供給する第１の供給手段と、上記第１の供給手段にて供給された券類の良否を検査する検査手段と、上記検査手段にて検査不可能と判断された券類を排除券として処理する排除券処理手段と、を有し、上記排除券処理手段は、排除券を供給する第２の供給手段と、上記第２の供給手段にて供給された排除券が正規の券類であるか否かを判定する判定手段と、上記判定手段にて正規の券類であることが判定された排除券を裁断する裁断手段と、上記裁断手段にて裁断された排除券の裁断枚数を表示する表示手段と、を備え、上記表示手段は、上記第２の供給手段にて上記判定手段へ供給される排除券の種類毎にその裁断枚数を表示する複数の表示部を有している。
【００１１】
また、この発明に係る券類処理装置は、券類を供給する第１の供給手段と、上記第１の供給手段にて供給された券類の良否を検査する検査手段と、上記検査手段にて検査可能と判断され且つ再使用可能と判断された券類を適合券として処理し、再使用不可能と判断された券類を非適合券として処理する非排除券処理手段と、上記検査手段にて検査不可能と判断された券類を排除券として処理する排除券処理手段と、を有し、上記排除券処理手段は、複数枚の排除券を集積する集積部と、上記集積部に集積された排除券を１枚づつ取出す取出部と、を有する第２の供給手段と、上記取出部にて取出された排除券が正規の券類であるか否かを判定する判定手段と、上記判定手段にて正規の券類であることが判定された排除券を再使用不可能なサイズに裁断する裁断手段と、上記裁断手段にて裁断される排除券の裁断枚数を計数する計数手段と、上記計数手段にて計数された排除券の裁断枚数を表示する表示手段と、を備え、上記表示手段は、上記第２の供給手段にて上記判定手段へ供給される排除券の種類毎にその裁断枚数を表示する複数の表示部を有している。
【００１２】
また、この発明に係る券類処理装置は、券類を供給する第１の供給手段と、上記第１の供給手段にて供給された券類の良否を検査する検査手段と、上記検査手段にて検査可能と判断され且つ再使用可能と判断された券類を適合券として処理し、再使用不可能と判断された券類を非適合券として処理する非排除券処理手段と、上記検査手段にて検査不可能と判断された券類を排除券として処理する排除券処理手段と、を有し、上記排除券処理手段は、複数枚の排除券を集積する集積部と、上記集積部に集積された排除券を１枚づつ取出す取出部と、を有する第２の供給手段と、上記取出部にて取出された排除券が正規の券類であるか否かを判定する判定手段と、上記判定手段にて正規の券類であることが判定された排除券を再使用不可能なサイズに裁断する裁断手段と、上記裁断手段にて裁断される排除券の裁断枚数を計数する計数手段と、上記計数手段にて計数された排除券の裁断枚数を記憶する記憶手段と、上記計数手段にて計数された排除券の裁断枚数を表示する表示手段と、上記記憶手段および表示手段を独立して駆動するための電源手段と、を備え、上記表示手段は、上記第２の供給手段にて上記判定手段へ供給される排除券の種類毎にその裁断枚数を表示する複数の表示部と、停電時に上記電源手段から上記記憶手段および表示手段に給電し排除券の裁断枚数を表示させる表示要求スイッチと、を有している。
【００１３】
また、この発明に係る券類処理装置は、券類を供給する供給手段と、上記供給手段にて供給された券類が正規の券類であるか否かを判定する判定手段と、上記判定手段にて正規の券類であることが判定された券類を裁断する裁断手段と、上記裁断手段にて裁断された券類の裁断枚数を表示する表示手段と、を備え、上記表示手段は、上記供給手段にて上記判定手段へ供給される券類の種類毎にその裁断枚数を表示する複数の表示部を有している。
【００１４】
また、この発明に係る券類処理装置は、複数枚の券類を集積する集積部と、上記集積部に集積された券類を１枚づつ取出す取出部と、を有する供給手段と、上記取出部にて取出された券類が正規の券類であるか否かを判定する判定手段と、上記判定手段にて正規の券類であることが判定された券類を再使用不可能なサイズに裁断する裁断手段と、上記裁断手段にて裁断される券類の裁断枚数を計数する計数手段と、上記計数手段にて計数された券類の裁断枚数を表示する表示手段と、を備え、上記表示手段は、上記供給手段にて上記判定手段へ供給される券類の種類毎にその裁断枚数を表示する複数の表示部を有している。
【００１５】
また、この発明に係る券類処理装置は、複数枚の券類を集積する集積部と、上記集積部に集積された券類を１枚づつ取出す取出部と、を有する供給手段と、上記取出部にて取出された券類が正規の券類であるか否かを判定する判定手段と、上記判定手段にて正規の券類であることが判定された券類を再使用不可能なサイズに裁断する裁断手段と、上記裁断手段にて裁断される券類の裁断枚数を計数する計数手段と、上記計数手段にて計数された券類の裁断枚数を記憶する記憶手段と、上記計数手段にて計数された券類の裁断枚数を表示する表示手段と、上記記憶手段および表示手段を独立して駆動するための電源手段と、を備え、上記表示手段は、上記供給手段にて上記判定手段へ供給される券類の種類毎にその裁断枚数を表示する複数の表示部と、停電時に上記電源手段から上記記憶手段および表示手段に給電し券類の裁断枚数を表示させる表示要求スイッチと、を有している。
【００１６】
また、この発明の券類処理装置によると、上記表示手段は、上記裁断手段にて裁断中の券類の今回裁断枚数を表示する単一の第１表示部と、上記供給手段にて上記判定手段へ供給される券類の種類毎にその裁断累計枚数を表示する複数の第２表示部と、上記第２表示部に対応して複数設けられ、上記第１表示部で表示中の今回裁断枚数を累計する第２表示部を知らせるべく点灯される点灯部と、停電時に上記電源手段から上記記憶手段および表示手段に給電し券類の裁断枚数を表示させる表示要求スイッチと、を有している。
【００１７】
更に、この発明の券類処理システムは、券類を供給する第１の供給手段と、上記第１の供給手段にて供給された券類の良否を検査する検査手段と、上記検査手段にて検査不可能と判断された券類を排除券として収容する収容部と、を有する少なくとも１つの検査装置と、上記検査装置の収容部に収容された排除券を供給する第２の供給手段と、上記第２の供給手段にて供給された排除券が正規の券類であるか否かを判定する判定手段と、上記判定手段にて正規の券類であることが判定された排除券を裁断する裁断手段と、上記裁断手段にて裁断された排除券の裁断枚数を上記第２の供給手段にて供給された排除券の種類毎に表示する複数の表示部を有する表示手段と、を有する複数の排除券処理装置と、を有し、上記少なくとも１つの検査装置にて排出された排除券を上記複数の排除券処理装置にて処理することにより稼働率を向上することを特徴としている。
【００１８】
【発明の実施の形態】
以下、図面を参照しながらこの発明の実施の形態について詳細に説明する。
図１に示すように、この発明の券類処理装置１は、券類の良否を検査しその検査結果に基づいて券類を処理する検査装置１０と、検査装置１０にて正しく検査できずに検査装置１０から排除された券類を処理する排除券処理手段として作用する排除券処理装置２０と、を備えている。
【００１９】
検査装置１０は、例えば、同一種類の１００枚の券類を小帯で施封して１把にし、この券類を１０把集めて大帯で施封して１束とした券類を投入する投入部２を備えている。投入部２の下流側には、１束にされた券類から大帯を取る大帯処理部４と、大帯を取られた券類を１把づつ搬送する搬送部６と、１把にされた券類から小帯を取る小帯処理部８と、が順に設けられている。小帯処理部８の下流側には、バラ把にされた券類を１枚づつ取出して券類の良否を検査する検査手段（または非排除券処理手段）として作用する検査部１２が設けられている。尚、券類は、投入部２に投入されると同時に図示しない搬送機構により自動的に搬送され、上述のようにバラ把にされて検査部１２へ１枚づつ自動的に供給されるようになっている。また、投入部２、大帯処理部４、搬送部６、および小帯処理部８は、この発明の第１の供給手段として作用する。
【００２０】
検査部１２は、小帯処理部８から送られたバラ把から券類を１枚づつ取出し、取出された券類の良否を検査する。この際、検査部１２は、券類が正しく検査できる券類であるか否かを判断し、正しく検査できないと判断された券類を排除券としてリジェクトカセット１２ａ（収容部）に収納し、正しく検査できると判断された券類を非排除券として処理する。尚、排除券としては、２枚取り等により正しく検査できない券類や正規の券類であるか否かが判断できない程度に劣悪な券類などがある。
【００２１】
検査部１２にて正しく検査された非排除券は、更に、再使用可能な適合券と再使用不可能な非適合券とに区分される。再使用可能な適合券は、搬送機構により逆送され再び小帯処理部８に戻されてここで１００枚毎に小帯施封されて１把にされ、その後、大帯処理部４に送られて１０把毎に大帯施封されて１束にされて投入部２を介して排出される。また、再使用不可能な非適合券は、図示しない裁断部に送られて再使用不可能なサイズに裁断される。尚、検査部１２は、適合券の枚数および非適合券の裁断枚数をそれぞれ計数する図示しないカウンタを備えている。
【００２２】
また、券類処理装置１は、処理業務に関する全てのデータ、例えば処理中の券類の券種、処理モード、または処理した券類の枚数等を管理するとともに必要に応じて帳票類を出力する集中制御部１４を備えている。
【００２３】
図２に示すように、排除券処理装置２０は、検査部１２内のリジェクトカセット１２ａに排除集積された排除券を受取る集積部２２と、集積部２２に集積された排除券を最上部のものから搬送路２３上に１枚づつ取出す取出部２４と、を有している。取出部２４の上流側の搬送路２３上には、排除券が正規の券類であるか否かを判定する判定手段として作用する判定部２５が設けられている。尚、集積部２２および取出部２４は、この発明の第２の供給手段として作用する。
【００２４】
判定部２５は、排除券の処理枚数を計数する図示しないカウンタ、重ね取りの有無を検知する図示しないセンサ、および排除券が正規の券類であるか否かを判定する図示しない判定機構を備えている。
【００２５】
判定部２５の下流側の搬送路２３上には、搬送路２３を裁断部２６（裁断手段）と排除券集積部２８とへ選択的に切換える切換えゲート２７が設けられている。そして、判定部２５にて正規の券類であることが判定された排除券が裁断部２６へ送られ、それ以外の排除券が排除券集積部２８へ送られるようになっている。尚、裁断部２６に向う搬送路上には、裁断される排除券を計数する計数手段として作用する計数センサ２６ａが設けられ、裁断部２６には、裁断部２６に搬送された券類を使用不可能なサイズまで裁断するカッター２６ｂが設けられている。
【００２６】
また、排除券処理装置２０は、排除券処理装置２０にて処理中の券種や処理モード等をユーザーに対して表示するとともに処理枚数の異常を知らせる表示をするモニター２１と、排除券処理装置２０の処理に応じた伝票を必要に応じて出力する伝票出力部２９と、を備えている。尚、排除券処理装置２０にて処理される排除券の券種や処理モードは、券類が検査装置１０に投入された時点で集中制御部１４にて設定されている。
【００２７】
更に、排除券処理装置２０は、その前面に、計数センサ２６ａにより計数された排除券の裁断枚数を表示する表示手段として作用する表示部３０と、停電時などに装置が緊急停止された場合に表示部３０における計数データの表示要求をする表示要求スイッチ３１と、を備えている。
【００２８】
図３に示すように、表示部３０は、例えば３種類の券種毎に対応して用意され、排除券処理装置２０にて裁断処理した排除券の裁断累計枚数を表示するＬＥＤ表示部３２、３４、３６を有している。また、表示部３０は、検査装置１０を通さずに未検査の券類を劣悪券として排除券処理装置２０に直接投入するモード（劣悪券処理モード）、或いは別系統の券類処理装置の検査装置にて排除された排除券を処理するモード（別系統券処理モード）等が選択された場合における裁断累計枚数を表示するＬＥＤ表示部３８を有している。これらのＬＥＤ表示部３２、３４、３６、３８は、この発明の第２表示部として作用し、それぞれ７つのセグメントから成る６桁の表示部を有し、裁断累計枚数を最大６桁まで表示可能となっている。
【００２９】
また、表示部３０は、排除券処理装置２０にて今現在裁断処理されている排除券の裁断枚数（今回裁断枚数）を表示する７つのセグメントから成る３桁のＬＥＤ表示部４１（第１表示部）を有している。
【００３０】
更に、表示部３０は、排除券処理装置２０にて今現在裁断処理されている排除券が上述したどの処理モードに該当するかを表示するＬＥＤ４２、４４、４６、４８を有している。これらのＬＥＤ４２、４４、４６、４８は、この発明の点灯部として作用し、作動中のＬＥＤ表示部に対応して点灯されるようになっている。
【００３１】
次に、上述した表示部３０の制御系について図４に示すブロック図を用いて説明する。
表示部３０の制御系は、ＣＰＵ５０を備えている。ＣＰＵ５０には、排除券処理装置２０にて処理される排除券の裁断枚数を計数する計数センサ２６ａが接続されている。また、ＣＰＵ５０には、計数センサ２６ａにて計数した排除券の裁断枚数を各券種或いは各処理モード毎に記憶する記憶手段として作用するデータ記憶保持部５２が接続されている。更に、ＣＰＵ５０には、計数センサ２６ａにて計数した排除券の裁断枚数を管理する集中制御部１４が接続されている。
【００３２】
データ記憶保持部５２には、記憶したデータを表示部３０にて表示させる表示ドライバ５４が接続されている。表示ドライバ５４には、各券種毎の裁断累計枚数または劣悪券処理モードや別系統券処理モードが選択された場合の裁断累計枚数を表示するＬＥＤ表示部３２、３４、３６、３８と、今回裁断枚数を表示するＬＥＤ表示部４１と、裁断中の排除券がどの処理モードで裁断されているかを表示するＬＥＤ４２、４４、４６、４８と、が接続されている。
【００３３】
また、データ記憶保持部５２および表示ドライバ５４には、停電時であっても記憶したデータを保持可能とし、且つ記憶したデータを表示可能とするための電源手段として作用するバックアップ電源５６が接続され、表示ドライバ５４には、停電時に装置が停止された場合にそれまでに記憶したデータを表示させるための表示要求スイッチ３１が接続されている。表示要求スイッチ３１は、押圧している間だけデータを表示するようになっている。
【００３４】
次に、上述のように構成された券類処理装置１による券類の処理動作について説明する。
まず、１００枚を１把にし１０把を１束にした同一種類の未検査の券類が複数束用意され、この券類の券種、処理枚数、処理モード等の処理データが集中制御部１４を介して入力される。そして、この複数束の未検査の券類が投入部２を介して券類処理装置１へ順次投入される。
【００３５】
投入された券類は、搬送機構により大帯処理部４、搬送部６、および小帯処理部８を介して自動的に搬送されるとともに大帯および小帯が取られてバラ把として検査部１２へ順次供給される。
【００３６】
検査部１２に供給された券類は１枚づつ取出されて検査され、正しく検査できない券類が排除券としてリジェクトカセット１２ａに収納される。また、正しく検査された非排除券は適合券と非適合券とに区分され、適合券は再び１００枚毎に小帯施封され１０把毎に大帯施封されて投入口２を介して排出され、非適合券は裁断部にて裁断される。この際、適合券の枚数および非適合券の裁断枚数は、カウンタにて計数されるとともに集中制御部１４にて管理される。
【００３７】
検査装置１０にて検査できずにリジェクトカセット１２ａに収納された排除券は、適当なタイミングで数回に分けて排除券処理装置２０の集積部２２へ移載され、排除券処理装置２０にて処理される。
【００３８】
ところで、処理すべき券類が検査装置１０にて検査するまでもなく非常に劣悪な券である場合、即ち検査装置１０を通しても殆ど排除されると予想される程劣悪な券である場合には、券類を検査装置１０に通さずに直接排除券処理装置２０へ供給する劣悪券処理モードが選択され、券類が排除券処理装置２０の集積部２２へ直接載置される。
【００３９】
集積部２２へ移載された排除券は、最上部のものから取出部２４にて搬送路２３上に取出され、判定部２５へ搬送される。判定部２５へ搬送された排除券は、ここで正規の券類であるか否かが判定され、正規の券類であることが判定された排除券は裁断部２６にて裁断されれるとともに計数センサ２６ａにて計数され、それ以外の排除券は排除券集積部２８へ集積される。そして、排除券集積部２８に集積された排除券は、所定のタイミングで排除券処理装置２０へ再投入されて再処理される。
【００４０】
計数センサ２６ａにて計数された排除券の裁断枚数は、ＣＰＵ５０を介してデータ記憶保持部５２に記憶され、排除券処理装置２０への排除券の投入単位で表示部３０のＬＥＤ表示部４１にて今回裁断枚数として表示されるとともに、その累計がＬＥＤ表示部３２にて裁断累計枚数として表示される。そして、裁断枚数は、同時に集中制御部１４にて管理される。また、この場合、ＬＥＤ表示部３２の作動に応じて表示部３０のＬＥＤ４２が選択的に点灯される。尚、劣悪券処理モードが選択された場合にはＬＥＤ表示部３８にて劣悪券の裁断累計枚数が表示されるとともに対応するＬＥＤ４８が点灯される。
【００４１】
上述のような排除券の処理途中で停電などにより券類処理装置１が緊急停止された場合、表示要求スイッチ３１を押すことにより停止前までの裁断枚数データを確認することができる。つまり、計数センサ２６ａにて計数された裁断枚数データは、バックアップ電源に接続されたデータ記憶保持部５２にて記憶されており、停電などの緊急停止時にこのバックアップ電源からデータ記憶保持部５２に電力を供給することによりデータを保持することができる。更に、バックアップ電源から表示ドライバ５４に電力を供給することにより、表示要求スイッチ３１の押圧に応じてデータ記憶保持部５２内のデータを表示部３０にて表示することができる。
【００４２】
以上のように、券類処理装置１に投入された全ての券類の検査業務が終了されると、集中制御部１４において、検査装置１０にて処理された適合券、検査装置１０にて裁断された非適合券、および排除券処理装置２０にて裁断された排除券のそれぞれの処理枚数が加算され、集中制御部１４にて初めに設定した投入枚数と照合される。加算した処理枚数が投入枚数と一致しない場合には、異常を知らせるための表示が排除券処理装置２０のモニター２１を介してなされるとともに、対応する伝票が伝票出力部２９を介して出力される。また、処理枚数と投入枚数の一致を条件に一連の処理動作が終了される。
【００４３】
次に、上述したように同一種類の券類（ここでは、第１券類と称する）を券類処理装置１にて処理している途中で、他の種類の券類（ここでは、第２券類と称する）を券類処理装置１にて割込処理する場合の動作について説明する。
第１券類の処理業務の途中で第２券類を割り込ませて処理する必要が生じた場合、券類処理装置１への第１券類の投入を中止し、それまでに券類処理装置１に投入された第１券類の投入枚数とそれまでに券類処理装置１にて処理した第１券類の処理枚数とを上述のように照合し、枚数の一致を確認する。そして、枚数の一致が確認されると、第１券種の処理が一旦終了され、排除券処理装置２０の表示部３０の今回裁断枚数を表示するＬＥＤ表示部４１がゼロにされる。この場合、第１券類の裁断累計枚数は、ＬＥＤ表示部３２にて表示されているとともにデータ記憶保持部５２にて記憶されている。
【００４４】
次に、所定枚数の第２券類が投入部２を介して券類処理装置１へ投入され、上述した第１券類と同様に第２券類の処理業務が成される。この場合、排除券処理装置２０における第２券類の今回裁断枚数がＬＥＤ表示部４１にて表示され、裁断累計枚数がＬＥＤ表示部３２とは別のＬＥＤ表示部３４にて表示される。また、このＬＥＤ表示部３４の作動に応じてＬＥＤ４４が点灯される。
【００４５】
そして、所定枚数の第２券類の処理が終了されると、表示部３０の今回裁断枚数を表示するＬＥＤ表示部４１がゼロにされ、続いて第１券類の処理が続行される。この場合、第２券類の裁断累計枚数は、ＬＥＤ表示部３４にて表示されているとともにデータ記憶保持部５２にて記憶されており、第１券類の裁断枚数はＬＥＤ表示部３２にて加算表示されるとともにデータ記憶保持部５２にて加算されて記憶される。従って、第１券類および第２券類を同時進行的に処理できる。
【００４６】
更に、本実施の形態においては、更に他の券種（第３券類）に対応すべく、ＬＥＤ表示部３６およびＬＥＤ４６が設けられている。
以上のように、排除券処理装置２０の表示部３０に複数の券種毎の裁断累計枚数を表示できる複数のＬＥＤ表示部を設けることにより、複数の券種を同時進行的に処理できる。これにより、従来の券類処理装置のように１業務内で１券種のみに対応して処理するのではなく、１業務内で他券種に対応して処理することが可能となる。
【００４７】
次に、上述した券類処理装置１を複数組合わせた券類処理システムについて説明する。
図５に示すように、券類処理システム１００は、例えば２組の券類処理装置１、１´を組合わせて構成されている。図中右側の券類処理装置１（第１装置１）と図中左側の券類処理装置１´（第２装置）とは、それぞれ検査装置１０、排除券処理装置２０、および集中制御部１４を有し、上述した券類処理装置１と同一の構成を有している。
【００４８】
以下、券類処理システム１００における券類の処理動作について、例えば、第１装置１にて第１券類を処理し、それと平行して第２装置１´にて第２券類を処理する場合について説明する。
【００４９】
例えば、第１装置１における第１券類の処理において、検査装置１０から比較的多くの排除券が排出され、排除券処理装置２０における排除券の処理が検査装置１０における処理に追い付かない場合、第１装置１の検査装置１０にて排出された排除券の一部を第２装置の排除券処理装置２０にて処理することができる。この場合、第２装置１´における排除券の処理に余力があることを前提として、第２装置１´にて別系統券処理モードが選択される。
【００５０】
つまり、第１装置１の排除券処理装置２０にオーバーフローを生じた場合、システム全体の処理能力を上げるために余力のある第２装置１´の排除券処理装置２０を用いて第１装置の排除券を処理する別系統券処理モードが選択される。この場合、第２装置１´の排除券処理装置２０では、第２券類の処理を一旦中止し、第１装置１から排出された排除券の処理を行なう。そして、適当なタイミングで処理モードを切換えて第１券類および第２券類を同時進行的に処理する。
【００５１】
尚、第２装置１´で処理した第２券類の裁断累計枚数はＬＥＤ表示部３２にて表示され、第１装置１から排出された排除券の裁断累計枚数はＬＥＤ表示部３８にて表示される。
【００５２】
これにより、第１装置１にて排除券にオーバーフローを生じた場合であっても、第１装置１を停止することなく券類の処理を続行でき、券類処理システム１００全体の稼働率を向上できる。
【００５３】
尚、この発明は、上述した実施の形態に限定されるものではなく、この発明の範囲内で種々変形可能である。例えば、本実施の形態においては、券種に応じて３つのＬＥＤ表示部を設け、他の処理モードに対応すべく１つのＬＥＤ表示部を設けたが、券種や処理モードに応じて更に多くのＬＥＤ表示部が設けられても良い。また、券類処理システムにおいては、更に多くの券類処理装置を組合わせても良く、これにより、装置の稼働率をより向上できる。
【００５４】
【発明の効果】
以上説明したように、この発明の券類処理装置および券類処理システムは、上記のような構成および作用を有しているので、複数種類の券類を同時進行的に処理でき、装置の稼働率を向上できる。
【図面の簡単な説明】
【図１】図１は、この発明の実施の形態に係る券類処理装置を示す概略図。
【図２】図２は、図１の券類処理装置に組込まれた排除券処理装置を示す概略図。
【図３】図３は、図２の排除券処理装置に組込まれた表示部を示す概略図。
【図４】図４は、図３の表示部の制御系を示すブロック図。
【図５】図５は、図１の券類処理装置を複数組合わせた券類処理システムを示す概略図。
【符号の説明】
１…券類処理装置、
１０…検査装置、
１４…集中制御部、
２０…排除券処理装置、
３０…表示部、
３２、３４、３６、３８、４１…ＬＥＤ表示部、
４２、４４、４６、４８…ＬＥＤ。
【図１】
0003547865.tif 000002
【図２】
0003547865.tif 000003
【図３】
0003547865.tif 000004
【図４】
0003547865.tif 000005
【図５】
0003547865.tif 000006